(57)【特許請求の範囲】
【請求項１】
固体光源と、
前記固体光源を駆動する光源駆動部と、
前記固体光源により射出された射出光を、赤色光、緑色光及び青色光に分離する色分離部と、
入力された画像データに基づき、前記色分離部により分離された前記赤色光、前記緑色光及び前記青色光を変調して画像光を生成する光変調部と、
前記色分離部により分離された前記赤色光の光量を検出する検出部と、
前記光源駆動部を駆動する駆動電流と、前記検出部により検出される前記赤色光の光量との関係を対応づけた第１テーブルと、前記光源駆動部を駆動するＰＷＭ信号のデューティー比と、前記検出部により検出される前記赤色光の光量との関係を対応づけた第２テーブルとを記憶する記憶部と、
前記光源駆動部を駆動する駆動パラメーターを生成する光源制御部と、
操作を受け付ける受付部と、を備え、
前記光源制御部は、
入力された画像データの１フレームの平均輝度に基づいて、前記固体光源が出力可能な最大光量に対する割合を示す第１パラメーターを生成する第１輝度設定部と、
前記受付部で前記固体光源の光量を一定にする指示と、一定の光量の指定とを前記受付部により受け付けた場合、前記一定の光量の指定に基づいて、前記固体光源が出力可能な最大光量に対する割合を示す第２パラメーターを生成する第２輝度設定部と、を備え、
前記光源制御部は、予め設定された条件が成立した場合、前記光源駆動部を駆動する駆動電流を最大に設定すると共に、ＰＷＭ信号のデューティー比を１００％に設定して前記固体光源を駆動し、前記検出部により検出された検出値を基準値として前記記憶部に記憶させ、
前記第２輝度設定部は、前記固体光源の光量を一定にする指示と、前記一定の光量の指定とを前記受付部により受け付けた場合、前記光源駆動部を駆動する駆動電流を最大に設定すると共に、ＰＷＭ信号のデューティー比を１００％に設定して前記固体光源を駆動し、前記検出部により検出された検出値と、前記基準値と、前記一定の光量の指定とに基づき、前記第２パラメーターを生成し、
前記光源制御部は、前記第１パラメーターが示す前記固体光源の光量の最大光量に対する割合と、前記第２パラメーターが示す前記固体光源の光量の最大光量に対する割合との積算結果に基づいて前記第１テーブル及び前記第２テーブルを参照し、前記駆動電流と、前記ＰＷＭ信号のデューティー比とを制御する前記駆動パラメーターを生成する、ことを特徴とするプロジェクター。
【請求項２】
前記光源制御部は、前記予め設定された条件が成立した場合に、前記固体光源を予め設定された駆動条件で駆動させ、前記検出部により検出された光量に基づいて前記第１テーブル及び前記第２テーブルに登録された値を更新する、ことを特徴とする請求項１記載のプロジェクター。
【請求項３】
前記光源制御部は、前記予め設定された条件が成立した場合に、前記固体光源を複数の駆動条件で駆動させ、各駆動条件で前記固体光源を駆動させた場合に前記検出部で検出される光量に基づいて、前記光源駆動部を駆動させる駆動パラメーターを、前記複数の駆動条件ごとに算出する、ことを特徴とする請求項１又は２記載のプロジェクター。
【請求項４】
前記光源制御部は、前記複数の駆動条件として、前記固体光源を駆動する駆動電流と、前記固体光源の点灯及び消灯を切り替えるＰＷＭ信号のデューティー比とのいずれか一方を変更して、前記光源駆動部を駆動させる駆動パラメーターを、前記複数の駆動条件ごとに算出する、ことを特徴とする請求項３記載のプロジェクター。
【請求項５】
前記光源制御部は、前記プロジェクターの電源をオフする際に実行される電源オフシーケンスにおいて、前記光源駆動部の駆動パラメーターを生成する、ことを特徴とする請求項１から４のいずれか１項に記載のプロジェクター。
【請求項６】
前記光源制御部は、前記受付部により受け付けた入力によって指定されるタイミングで、前記光源駆動部の駆動パラメーターを生成する、ことを特徴とする請求項１から４のいずれか１項に記載のプロジェクター。
【請求項７】
固体光源と、前記固体光源を駆動する光源駆動部と、前記固体光源により射出された射出光を、赤色光、緑色光及び青色光に分離する色分離部と、入力された画像データに基づき、前記色分離部により分離された前記赤色光、前記緑色光及び前記青色光を変調して画像光を生成する光変調部と、を備えるプロジェクターの制御方法であって、
前記色分離部により分離された前記赤色光の光量を検出する検出ステップと、
予め設定された条件が成立した場合に、前記光源駆動部を駆動する駆動電流を最大に設定すると共に、ＰＷＭ信号のデューティー比を１００％に設定して前記固体光源を駆動し、前記検出ステップにより検出された検出値を基準値に設定する基準値設定ステップと、
入力された画像データの１フレームの平均輝度に基づいて、前記固体光源が出力可能な最大光量に対する割合を示す第１パラメーターを生成する第１生成ステップと、
前記固体光源の光量を一定にする指示と、一定の光量の指定とを受け付けた場合、前記一定の光量の指定に基づいて、前記固体光源が出力可能な最大光量に対する割合を示す第２パラメーターを生成する第２生成ステップと、
前記第１パラメーター及び前記第２パラメーターの少なくとも一方に基づき、前記光源駆動部を駆動する駆動パラメーターを生成する駆動パラメーター生成ステップと、を有し、
前記第２生成ステップは、前記固体光源の光量を一定にする指示と、一定の光量の指定とを受け付けた場合、前記光源駆動部を駆動する駆動電流を最大に設定すると共に、ＰＷＭ信号のデューティー比を１００％に設定して前記固体光源を駆動し、前記検出ステップにより検出された検出値と、前記基準値と、前記一定の光量の指定とに基づき、前記第２パラメーターを生成し、
前記駆動パラメーター生成ステップは、
前記第１パラメーターが示す前記固体光源の光量の最大光量に対する割合と、前記第２パラメーターが示す前記固体光源の光量の最大光量に対する割合との積算値を算出し、
前記光源駆動部を駆動する駆動電流と、前記検出ステップにより検出される前記赤色光の光量との関係を対応づけた第１テーブルと、前記光源駆動部を駆動するＰＷＭ信号のデューティー比と、前記検出ステップにより検出される前記赤色光の光量との関係を対応づけた第２テーブルとを前記積算値に基づき参照し、前記駆動電流と、前記ＰＷＭ信号のデューティー比とを制御する前記駆動パラメーターを生成する、ことを特徴とするプロジェクターの制御方法。
【発明の詳細な説明】
【技術分野】
【０００１】
本発明は、プロジェクター、及び、プロジェクターの制御方法に関する。
【背景技術】
【０００２】
近年、プロジェクターの光源として、レーザーダイオード（Laser Diode：ＬＤ）や発光ダイオード（Light Emitting Diode：ＬＥＤ）等の固体光源と呼ばれる光源が搭載されるようになった。これらの光源は、光源が劣化することにより、プロジェクターが表示する画像の明るさが所望の明るさとは異なってしまうという問題がある。
この問題に対し、特許文献１に開示のプロジェクターは、励起光を射出する固体光源と、励起光を蛍光に変換する蛍光体と、励行及び蛍光体で変換された蛍光の少なくとも一方を検出する光センサーと、光センサーの検出結果に応じて固体光源又は蛍光を変調する光変調装置の少なくとも一方を制御する制御装置とを備える。
【先行技術文献】
【特許文献】
【０００３】
【特許文献１】特開２０１２−４７９５１号公報
【発明の概要】
【発明が解決しようとする課題】
【０００４】
ところで、プロジェクターの光源は、複数の駆動条件に応じて様々な明るさで使用される。このため、光源の光量が変化しても、プロジェクターが備える検出部を利用して、光源の光量を、設定された光量に容易に合わせられるようにできるのが望ましい。
本発明は上記事情に鑑みてなされたものであり、プロジェクターが備える検出部を利用して、光源の射出光の光量を、設定された光量に容易に合わせることを目的とする。
【課題を解決するための手段】
【０００５】
上記目的を達成するために本発明のプロジェクターは、光源と、前記光源を駆動する光源駆動部と、前記光源から射出される射出光の光量を検出する検出部と、前記光源を予め設定された駆動条件で駆動した場合に前記検出部で検出される光量を示す光量情報を記憶する記憶部と、前記光源駆動部に予め設定された駆動条件で前記光源を駆動させた場合に前記検出部が検出する検出値と、前記記憶部に記憶された光量情報とに基づいて、前記光源の射出光の光量を設定された光量とするための前記光源駆動部の駆動パラメーターを生成する光源制御部と、を備えることを特徴とする。
本発明によれば、プロジェクターが備える検出部を利用して、光源の射出光の光量を、設定された光量に容易に合わせることができる。従って、例えば、光源の射出光の光量が経年劣化した場合に、光源の劣化に対応した駆動パラメーターを生成することができる。
【０００６】
また、本発明は、上記構成のプロジェクターにおいて、前記光源制御部は、予め設定された条件が成立した場合に、前記光源を予め設定された駆動条件で駆動させ、前記検出部で検出される光量を示す光量情報により前記記憶部が記憶する光量情報を更新することを特徴とする。
本発明によれば、予め設定された条件が成立した場合に、記憶部が記憶する光量情報を更新することができる。
【０００７】
また、本発明は、上記構成のプロジェクターにおいて、前記光源制御部は、予め設定された条件が成立し、前記記憶部が記憶する光量情報が更新された場合に、前記光源を予め設定された駆動条件で駆動させ、前記検出部が検出する検出値と、前記記憶部に記憶された光量情報とに基づいて、駆動パラメーターを再度生成することを特徴とする。
本発明によれば、記憶部が記憶する光量情報が更新された場合に、更新された光量情報に基づいて、駆動パラメーターを再度生成することができる。
【０００８】
また、本発明は、上記構成のプロジェクターにおいて、前記光源から射出される射出光を、複数の色光に分離する分離光学系を備え、前記検出部は、複数の色光のうち、赤色光の光量を検出し、前記光源制御部は、前記検出部により検出された赤色光の検出値と、前記記憶部に記憶された赤色光の光量情報とに基づいて、駆動パラメーターを生成することを特徴とする。
本発明によれば、分離光学系により分離された複数の色光のうち、赤色光の光量に基づいて駆動パラメーターを生成することができる。赤色光は、複数の色光のうち、光源の輝度が最も反映された色光であるため、光源の輝度を反映した駆動パラメーターを生成することができる。
【０００９】
また、本発明は、上記構成のプロジェクターにおいて、前記光源制御部は、予め設定された条件が成立した場合に、前記光源を複数の駆動条件で駆動させ、各駆動条件で前記光源を駆動させた場合に前記検出部で検出される光量に基づいて、前記光源駆動部を駆動させる駆動パラメーターを、前記複数の駆動条件ごとに算出することを特徴とする。
本発明によれば、光源を複数の駆動条件で駆動させ、光源駆動部を駆動させる駆動パラメーターを、複数の駆動条件ごとに算出することができる。従って、光源の射出光の光量が経年劣化した場合に、光源の劣化に対応した駆動パラメーターを、駆動条件ごとに生成することができる。
【００１０】
また、本発明は、上記構成のプロジェクターにおいて、前記光源制御部は、前記複数の駆動条件として、前記光源を駆動する駆動電流と、前記光源の点灯及び消灯を切り替えるＰＷＭ信号のデューティーとのいずれか一方を変更して、前記光源駆動部を駆動させる駆動パラメーターを、前記複数の駆動条件ごとに算出することを特徴とする。
本発明によれば、駆動電流と、ＰＷＭ信号のデューティーとのいずれか一方を変更することで光源部の光量を変更し、複数の駆動条件で駆動パラメーターを生成することができる。
【００１１】
また、本発明は、上記構成のプロジェクターにおいて、画像データを入力する入力部を備え、前記光源制御部は、前記光源の射出光の光量を設定された光量とするための前記光源駆動部の駆動パラメーターと、前記入力部に入力された画像データの輝度に基づいて算出されるパラメーターとに基づいて、前記光源の光量を制御することを特徴とする。
本発明によれば、光源の光量を、画像データの輝度と、光源の射出光の光量を設定された光量とするための駆動パラメーターとに基づいて制御することができる。
【００１２】
また、本発明は、上記構成のプロジェクターにおいて、前記光源制御部は、前記プロジェクターの電源をオフする際に実行される電源オフシーケンスにおいて、前記光源駆動部の駆動パラメーターを生成することを特徴とする。
本発明によれば、電源オフシーケンスにおいて、光源駆動部の駆動パラメーターが生成される。従って、駆動パラメーターを生成する際のプロジェクターの他の動作への影響を低減することができる。
【００１３】
また、本発明は、上記構成のプロジェクターにおいて、入力を受け付ける受付部を有し、前記光源制御部は、前記受付部により受け付けた入力によって指定されるタイミングで、前記光源駆動部の駆動パラメーターを生成することを特徴とする。
本発明によれば、受付部により受け付けた入力によって指定されるタイミングで、光源駆動部の駆動パラメーターが生成される。従って、ユーザーにより指定されたタイミングで、駆動パラメーターを生成することができる。
【００１４】
また、本発明のプロジェクターの制御方法は、光源を予め設定された駆動条件で駆動し、前記光源から射出される射出光の光量を検出するステップと、検出された射出光の光量を示す光量情報を記憶部に記憶させるステップと、予め設定された駆動条件で前記光源を駆動させ、前記光源から射出される射出光の光量を検出し、検出した検出値と、前記記憶部に記憶された光量情報とに基づいて、前記光源の射出光の光量を設定された光量とするための駆動パラメーターを生成するステップとを備えることを特徴とする。
本発明によれば、プロジェクターが備える検出部を利用して、光源の射出光の光量を、設定された光量に容易に合わせることができる。従って、例えば、光源の射出光の光量が経年劣化した場合に、光源の劣化に対応した駆動パラメーターを生成することができる。
【図面の簡単な説明】
【００１５】
【図１】プロジェクターの構成を示す図。
【図２】色分離部及び光変調装置の構成を示す図。
【図３】光源制御部の構成を示す図。
【図４】駆動電流−光量特性テーブルと、デューティー比−光量特性テーブルとを示す図。
【図５】光源校正処理部の動作を示すフローチャート。
【図６】駆動電流−光量特性テーブルに、測定値をプロットした状態を示す図。
【図７】光源駆動パラメーター生成部の動作を示すフローチャート。
【発明を実施するための形態】
【００１６】
以下、図面を参照して本発明の実施形態について説明する。
図１は、プロジェクター１００の構成を示す図である。
プロジェクター１００は、パーソナルコンピューターや各種映像プレーヤー等の外部の画像供給装置２００に接続され、画像供給装置２００から供給される画像信号に基づく画像を投射対象に投射する装置である。
画像供給装置２００には、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等を用いることができる。
また、投射対象は、建物や物体など、一様に平らではない物体であってもよいし、スクリーンＳＣや、建物の壁面等の平らな投射面を有するものであってもよい。図１には、投射対象として平面のスクリーンＳＣを示す。
【００１７】
プロジェクター１００は、画像入力インターフェース部（以下、画像入力Ｉ／Ｆ部と略記する）１５１を備える。画像入力Ｉ／Ｆ部１５１は、本発明の「入力部」に相当する。
画像入力Ｉ／Ｆ部１５１は、ケーブルを接続するコネクター及びインターフェース回路（いずれも図示略）を備え、ケーブルを介して接続された画像供給装置２００から供給される画像信号を入力する。画像入力Ｉ／Ｆ部１５１は、入力された画像信号を画像データに変換して画像処理部１５３に出力する。
画像入力Ｉ／Ｆ部１５１が備えるインターフェースは、例えば、Ｅｔｈｅｒｎｅｔ（登録商標）、ＩＥＥＥ１３９４、ＵＳＢ等のデータ通信用のインターフェースであってもよい。また、画像入力Ｉ／Ｆ部１５１のインターフェースは、ＭＨＬ（登録商標）、ＨＤＭＩ（登録商標）、ＤｉｓｐｌａｙＰｏｒｔ等の画像データ用のインターフェースであってもよい。
また、画像入力Ｉ／Ｆ部１５１は、コネクターとして、アナログ映像信号が入力されるＶＧＡ端子や、デジタル映像データが入力されるＤＶＩ（Digital Visual Interface）端子を備える構成であってもよい。さらに、画像入力Ｉ／Ｆ部１５１は、Ａ／Ｄ変換回路を備え、ＶＧＡ端子を介してアナログ映像信号が入力された場合、Ａ／Ｄ変換回路によりアナログ映像信号を画像データに変換し、画像処理部１５３に出力する。
【００１８】
プロジェクター１００は、光学的な画像の形成を行い、スクリーンＳＣに画像を投射する表示部１１０を備える。表示部１１０は、光源部１１１、色分離部１１２、光変調装置１１３及び投射光学系１１４を備える。光源部１１１は、本発明の「光源」に相当する。また、色分離部１１２は、本発明の「分離光学系」に相当する。
【００１９】
光源部１１１は、固体光源を備える。固体光源には、ＬＥＤ（Light Emitting Diode）等の発光素子や半導体レーザー素子を用いた光源を用いることができる。半導体レーザー素子は、単一の半導体レーザー素子により構成されるもの、或いは面状に配列形成された複数の半導体レーザー素子を備えるものを用いることができる。本実施形態の光源部１１１は、固体光源として半導体レーザー素子を備え、高出力の青色光（射出光）を射出する。また、光源部１１１は、蛍光体を有する蛍光体ホイール（不図示）を備え、固体光源から射出される青色光は蛍光体ホイールによって赤色光及び緑色光を含む黄色光（蛍光）に変換され、色分離部１１２に出力される。光源から射出される青色光及び黄色光が、本発明の射出光に相当する。また、色分離部１１２には、蛍光体ホイールを透過した青色光が出力される。
また、光源部１１１は、赤色、緑色及び青色の各色に対応した３つの固体光源を備える構成であってもよい。以下では、光源部１１１の備える固体光源を、簡単に光源という。
また、光源部１１１は、光源から射出される光を走査させる光走査素子や、出射光の光学特性を高めるためのレンズ群を備える構成としてもよい。
【００２０】
光源部１１１は、光源駆動部１２１により駆動される。光源駆動部１２１は、内部バス１８０に接続される。
光源駆動部１２１は、制御部１７０の制御に従って、光源部１１１を駆動する駆動電流、及び光源部１１１に出力する駆動信号を制御し、光源部１１１の光源が出力する光量（以下、出力光量という）を制御する。
【００２１】
ＰＷＭ信号生成部１２２には、後述する設定部３３０（図３参照）からＰＷＭ（pulse width modulation）信号のデューティー比を指定する情報が入力される。ＰＷＭ信号生成部１２２は、設定部３３０から入力される情報により指定されたデューティー比のＰＷＭ信号を生成し、光源駆動部１２１に出力する。
【００２２】
色分離部１１２は、ミラーやレンズ（図２参照）を備え、光源部１１１の光源が発した光を赤色光（以下、Ｒ光ともいう）、緑色光（以下、Ｇ光ともいう）及び青色光（以下、Ｂ光ともいう）の３色の色光に分離し、光変調装置１１３にそれぞれ導光する。
【００２３】
光変調装置１１３は、液晶パネル１１５を備える。液晶パネル１１５は、例えば、Ｒ，Ｇ及びＢの三原色に対応した３枚の液晶パネル１１５Ｒ，１１５Ｇ，１１５Ｂ（図２参照）を備える。色分離部１１２により分離されたＲ，Ｇ，Ｂの色光は、対応する液晶パネル１１５Ｒ，１１５Ｇ，１１５Ｂにそれぞれ入射される。液晶パネル１１５は、透過型の液晶パネルであり、透過する光を変調して画像光を生成する。各液晶パネル１１５Ｒ，１１５Ｇ，１１５Ｂを透過して変調された画像光は、クロスダイクロイックプリズム１１８（図２参照）によって合成され、投射光学系１１４に射出される。
【００２４】
光変調装置１１３には、光変調装置駆動部１２３が接続される。光変調装置駆動部１２３は、内部バス１８０に接続される。
光変調装置駆動部１２３は、画像処理部１５３から入力される表示画像信号（後述する）に基づいてＲ，Ｇ，Ｂの色ごとに画像信号を生成する。光変調装置駆動部１２３は、生成したＲ，Ｇ，Ｂの画像信号に基づいて、光変調装置１１３の対応する液晶パネル１１５Ｒ，１１５Ｇ，１１５Ｂを駆動し、各液晶パネル１１５Ｒ，１１５Ｇ，１１５Ｂに画像光を描画する。
【００２５】
投射光学系１１４は、光変調装置１１３により変調された画像光をスクリーンＳＣに投射して、スクリーンＳＣ上に結像させるレンズ群を備える。また、投射光学系１１４は、スクリーンＳＣの投射画像の拡大・縮小及び焦点の調整を行うズーム機構、フォーカスの調整を行うフォーカス調整機構を備えていてもよい。
【００２６】
図２は、色分離部１１２及び光変調装置１１３の構成を示す図である。
色分離部１１２は、ダイクロイックミラー１３１，１３２、反射ミラー１３３〜１３５、リレーレンズ１３６，１３７、及び集光レンズ１１６Ｒ，１１６Ｇ，１１６Ｂを備える。
【００２７】
ダイクロイックミラー１３１，１３２は、所定の波長領域の光を反射して他の波長領域の光を通過させる波長選択透過膜が透明基板上に形成されたミラーである。
具体的に、ダイクロイックミラー１３１はＲ光成分を通過してＧ光及びＢ光成分を反射させ、ダイクロイックミラー１３２はＧ光成分を反射しＢ光成分を通過させる。
【００２８】
反射ミラー１３３は、Ｒ光成分を反射するミラーであり、反射ミラー１３４，１３５はＢ光成分を反射するミラーである。
リレーレンズ１３６は、ダイクロイックミラー１３２と反射ミラー１３４との間に配設され、リレーレンズ１３７は、反射ミラー１３４と反射ミラー１３５との間に配設される。これらリレーレンズ１３６，１３７は、Ｂ光の光路の長さが他の色光の光路の長さよりも長いため、光の発散等による光の利用効率の低下を防止するために設けられる。
集光レンズ１１６Ｒ，１１６Ｇ，１１６Ｂは、反射ミラー１３３で反射されたＲ光成分、ダイクロイックミラー１３２で反射されたＧ光成分、及び反射ミラー１３５で反射されたＢ光成分を、液晶パネル１１５Ｒ，１１５Ｇ，１１５Ｂにそれぞれ集光する。
【００２９】
光変調装置１１３の各液晶パネル１１５Ｒ，１１５Ｇ，１１５Ｂは、入射された色光を外部から入力される画像信号に応じて変調して、赤色の画像光、緑色の画像光、及び青色の画像光をそれぞれに生成する。
【００３０】
プロジェクター１００は、光センサー１１７を備える。光センサー１１７は、本発明の「検出部」に相当する。光センサー１１７は、赤色光センサー１１７Ｒと、青色光センサー１１７Ｂとを備える。赤色光センサー１１７Ｒは、Ｒ光を検出し、検出したＲ光の光量を示すセンサー値（検出値）を制御部１７０に出力する。青色光センサー１１７Ｂは、Ｂ光を検出し、検出したＢ光の光量を示すセンサー値を制御部１７０に出力する。
赤色光センサー１１７Ｒは、反射ミラー１３３がＲ光を反射させる反射面の裏面側に配置され、反射ミラー１３３を透過するわずかなＲ光を検出する。
青色光センサー１１７Ｂは、反射ミラー１３５がＢ光を反射させる反射面の裏面側に配置され、反射ミラー１３５を透過するわずかなＢ光を検出する。
赤色光センサー１１７Ｒ、及び青色光センサー１１７Ｂとして用いられる光センサーには、フォトダイオード、照度センサー、Ｒ，Ｇ，Ｂの各色のカラーセンサー等の種々のセンサーを用いることができる。
【００３１】
図１に戻り、プロジェクター１００の構成について引き続き説明する。
プロジェクター１００は、操作パネル１４１及び入力処理部１４３を備える。入力処理部１４３は、内部バス１８０に接続される。操作パネル１４１は、本発明の「受付部」に相当する。
ユーザーインターフェースとして機能する操作パネル１４１には、各種の操作キーや、液晶パネルにて構成された表示画面が表示される。入力処理部１４３は、操作パネル１４１に表示された操作キーが操作されると、操作されたキーに対応したデータを制御部１７０に出力する。また、入力処理部１４３は、制御部１７０の制御に従って、操作パネル１４１に各種画面を表示させる。
また、操作パネル１４１には、操作パネル１４１への接触を検出するタッチセンサーが重ね合わされて一体形成される。入力処理部１４３は、ユーザーの指等が接触した操作パネル１４１の位置を入力位置として検出し、検出した入力位置に対応したデータを制御部１７０に出力する。
【００３２】
また、プロジェクター１００は、ユーザーが使用するリモコン５から送信される赤外線信号を受光するリモコン受光部１４２を備える。リモコン受光部１４２は、入力処理部１４３に接続される。リモコン５及びリモコン受光部１４２は、本発明の「受付部」に相当する。
リモコン受光部１４２は、リモコン５から送信される赤外線信号を受光する。入力処理部１４３は、リモコン受光部１４２が受光した赤外線信号をデコードして、リモコン５における操作内容を示すデータを生成し、制御部１７０に出力する。
【００３３】
プロジェクター１００は、無線通信部１４５を備える。無線通信部１４５は、内部バス１８０に接続される。無線通信部１４５は、図示しないアンテナやＲＦ（Radio Frequency）回路等を備え、制御部１７０の制御の下、外部の装置との間で無線通信を実行する。無線通信部１４５の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００３４】
プロジェクター１００は、画像処理系を備える。画像処理系は、プロジェクター１００の全体を統括的に制御する制御部１７０を中心に構成され、この他に、画像処理部１５３、フレームメモリー１５５及び記憶部１６０を備える。制御部１７０、画像処理部１５３及び記憶部１６０は、内部バス１８０に接続される。
【００３５】
画像処理部１５３は、制御部１７０の制御に従って、画像入力Ｉ／Ｆ部１５１から入力される画像データをフレームメモリー１５５に展開し、展開した画像データに対して画像処理を実行する。画像処理部１５３が実行する画像処理には、例えば、解像度変換（スケーリング）処理、フレームレート変換処理、形状補正処理、ズーム処理、色調補正処理、輝度補正処理等が含まれる。また、これらのうち複数の処理を組み合わせて実行することも勿論可能である。
【００３６】
解像度変換処理は、画像処理部１５３が、画像データの解像度を、制御部１７０により指定された解像度、例えば光変調装置１１３の液晶パネルの表示解像度に合わせて変換する処理である。
フレームレート変換処理は、画像処理部１５３が、画像データのフレームレートを、制御部１７０により指定されたフレームレートに変換する処理である。
形状補正処理は、画像処理部１５３が、制御部１７０から入力される補正パラメーターに従って画像データを変換して、スクリーンＳＣに投射する画像の形状を補正する処理である。
ズーム処理は、リモコン５や操作パネル１４１の操作によりズームが指示された場合に、画像処理部１５３が、画像を拡大／縮小する処理である。
色調補正処理は、画像データの色調を変換する処理であり、画像処理部１５３は、制御部１７０により指定された色調に合わせて画像データに含まれる各画素のデータを変更する。この処理において、プロジェクター１００は、映画鑑賞に適した色調、スクリーンＳＣが明るい環境に設置された場合に適した色調、黒板などの非白色のスクリーンＳＣに投射する場合に適した色調等を実現できる。色調補正処理に加え、コントラスト調整等を行ってもよい。
輝度補正処理は、画像処理部１５３が、画像データの輝度を補正する処理である。輝度補正処理により、画像データの輝度が、光源部１１１の発光状態やプロジェクター１００が設置された環境の明るさ等に対応した輝度に補正される。
画像処理部１５３が実行する上記の処理の内容、パラメーター、及び処理の開始、終了のタイミングは制御部１７０により制御される。
画像処理部１５３は、処理後の画像データをフレームメモリー１５５から読み出し、表示画像信号として光変調装置駆動部１２３に出力する。
【００３７】
記憶部１６０は、フラッシュメモリー、ＥＥＰＲＯＭ等の不揮発性のメモリーにより構成される。記憶部１６０は、制御部１７０が処理するデータや制御部１７０が実行する制御プログラムを不揮発的に記憶する。また、記憶部１６０は、画像処理部１５３が実行する各種処理の設定値や、制御部１７０が参照するテーブル、光センサー１１０により測定されたセンサー値を記憶する。
【００３８】
制御部１７０は、ＣＰＵ、ＲＯＭ及びＲＡＭ（いずれも図示略）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部１６０から読み出した制御プログラムをＲＡＭに展開し、ＲＡＭに展開された制御プログラムを実行してプロジェクター１００の各部を制御する。
【００３９】
また、制御部１７０は、機能ブロックとして、投射制御部１７１と、光源制御部１７２とを備える。これらの機能ブロックは、ＲＯＭや記憶部１６０に記憶された制御プログラムをＣＰＵが実行することで実現される。
【００４０】
投射制御部１７１は、表示部１１０における画像の表示態様を調整し、スクリーンＳＣへの画像の投射を実行する。
具体的には、投射制御部１７１は、画像処理部１５３を制御して、画像入力Ｉ／Ｆ部１５１から入力される画像データに対して画像処理を実施させる。この際、投射制御部１７１は、画像処理部１５３が処理に必要なパラメーターを記憶部１６０から読み出して、画像処理部１５３に出力してもよい。
【００４１】
光源制御部１７２は、光源駆動部１２１やＰＷＭ信号生成部１２２を制御して光源部１１１の光源を点灯させ、光源の光量を調整する。光源制御部１７２の詳細については、図３を参照しながら説明する。
【００４２】
図３は、光源制御部１７２の構成を示す図である。
光源制御部１７２は、第１輝度設定部３０１、第２輝度設定部３０２、第３輝度設定部３０３、切替部３０４、積算部３０５、光源校正処理部３１０、光源駆動パラメーター生成部３２０及び設定部３３０を備える。
【００４３】
第１輝度設定部３０１には、画像処理部１５３から明るさ情報が入力される。
画像処理部１５３は、例えば、画像入力Ｉ／Ｆ部１５１から入力される画像データに基づいて、画像データの１フレームの平均輝度を算出する。画像処理部１５３は、算出した１フレームの平均輝度を明るさ情報として第１輝度設定部３０１に出力する。
第１輝度設定部３０１は、画像処理部１５３から入力された明るさ情報に基づいて、光源に設定する出力光量を指定する情報である第１駆動パラメーターを生成する。第１駆動パラメーターは、光源に設定する出力光量を示す情報であり、例えば、光源が出力可能な最大光量を１００％として、光源に設定する出力光量を、最大光量に対する割合（例えば、７０％等）で示した情報である。第１輝度設定部３０１は、生成した第１駆動パラメーターを積算部３０５に出力する。
【００４４】
第２輝度設定部３０２には、入力処理部１４３から輝度切替情報が入力される。
ユーザーは、操作パネル１４１又はリモコン５を操作して、スクリーンＳＣに投射される画像（以下、投射画像という）の輝度を、例えば、低輝度、中輝度、高輝度の３段階に設定することができる。入力処理部１４３は、操作パネル１４１又はリモコン５により受け付けた操作に対応した輝度を示す輝度切替情報を第２輝度設定部３０２に出力する。
第２輝度設定部３０２は、入力された輝度切替情報に従って、光源に設定する出力光量を指定する情報である第２輝度パラメーターを生成する。第２輝度パラメーターも第１輝度パラメーターと同様に、光源に設定する出力光量を、最大光量に対する割合で示した情報である。第２輝度設定部３０２は、生成した第２駆動パラメーターを切替部３０４に出力する。
【００４５】
第３輝度設定部３０３には、入力処理部１４３から情報が入力される。ユーザーは、操作パネル１４１又はリモコンを操作して、光源の光量を一定に維持するように指示する操作を入力することができる。入力処理部１４３から第３輝度設定部３０３に入力される情報には、光源の出力光量を一定の光量（以下、一定光量という）に維持するように指示する指示情報と、維持させる一定光量を指定する指定情報とが入力される。
第３輝度設定部３０３は、指示情報と、一定光量の指定情報とが入力処理部１４３から入力されると、入力されたこれらの情報を光源駆動パラメーター生成部３２０に出力する。
光源駆動パラメーター生成部３２０は、第３輝度設定部３０３から指示情報と、一定光量の指定情報とが入力されると、光源の出力光量を、一定光量の指定情報により指定された光量とするための駆動パラメーターを生成する。光源駆動パラメーター生成部３２０の駆動パラメーターの生成手順については、図７に示すフローチャートを参照しながら説明する。光源駆動パラメーター生成部３２０は、生成した駆動パラメーターを第３輝度設定部３０３に出力する。
【００４６】
第３輝度設定部３０３は、光源駆動パラメーター生成部３２０から駆動パラメーターが入力されると、入力されたパラメーターを第３駆動パラメーターとして切替部３０４に出力する。第３輝度パラメーターも第１及び第２輝度パラメーターと同様に、光源に設定する出力光量を、最大光量に対する割合で示した情報である。
【００４７】
切替部３０４には、第２輝度設定部３０２から第２駆動パラメーターが入力され、第３輝度設定部３０３から第３駆動パラメーター入力される。切替部３０４は、第２輝度設定部３０２から入力される第２駆動パラメーターと、第３輝度設定部３０３から入力される第３駆動パラメーターとのいずれか一方を選択して積算部３０５に出力する。例えば、切替部３０４は、第３輝度設定部３０３から第３駆動パラメーターが入力された場合には、第３駆動パラメーターを優先して積算部３０５に出力する。また、切替部３０４は、第３輝度設定部３０３からの第３駆動パラメーターの入力がない場合には、第２輝度設定部３０２から入力される第２駆動パラメーターを積算部３０５に出力する。
【００４８】
積算部３０５には、第１輝度設定部３０１から第１駆動パラメーターが入力され、切替部３０４から第２駆動パラメーター又は第３駆動パラメーターが入力される。
積算部３０５は、切替部３０４から第２駆動パラメーター又は第３駆動パラメーターの入力がない場合、第１輝度設定部３０１から入力される第１駆動パラメーターをそのまま設定部３３０に出力する。
また、積算部３０５は、切替部３０４から第２駆動パラメーター又は第３駆動パラメーターが入力された場合、第１駆動パラメーターが示す光源の出力光量の最大光量に対する割合と、第２駆動パラメーター又は第３駆動パラメーターが示す光源の出力光量の最大光量に対する割合とを積算する。積算部３０５は、積算して得られた値を、駆動パラメーターとして設定部３３０に出力する。
例えば、第１駆動パラメーターが示す値が９０％であり、第２駆動パラメーターが示す値が７０％である場合、積算部３０５は、９０％と７０％との積である６３％を示す駆動パラメーターを生成し、設定部３３０に出力する。
【００４９】
設定部３３０は、ＰＷＭ設定ＬＵＴ３３１と、電流設定ＬＵＴ３３２とを備える。
設定部３３０は、積算部３０５から入力される駆動パラメーターに対応したＰＷＭ信号のデューティー比をＰＷＭ設定ＬＵＴ３３１から取得する。また、設定部３３０は、積算部３０５から入力される駆動パラメーターに対応した駆動電流の電流値を電流設定ＬＵＴ３３２から取得する。
設定部３３０は、ＰＷＭ設定ＬＵＴ３３１から取得したＰＷＭ信号のデューティー比を示す情報をＰＷＭ信号生成部１２２に出力する。また、設定部３３０は、電流設定ＬＵＴ３３２から取得した駆動電流の電流値を示す情報を光源駆動部１２１に出力する。
【００５０】
また、設定部３３０は、光源駆動パラメーター生成部３２０と、光源校正処理部３１０とに接続される。
設定部３３０は、光源校正処理部３１０又は光源駆動パラメーター生成部３２０からＰＷＭ信号のデューティー比を指定する情報が入力された場合、指定されたデューティー比のＰＷＭ信号の生成をＰＷＭ信号生成部１２２に指示する。また、設定部３３０は、光源校正処理部３１０又は光源駆動パラメーター生成部３２０から駆動電流の電流値を指定する情報が入力された場合、指定された電流値の駆動電流を光源部１１１に供給するように、光源駆動部１２１に指示する。
【００５１】
光源校正処理部３１０は、光源校正処理を実行する。
光源校正処理とは、光源部１１１を駆動して、光源の出力光量を赤色光センサー１１７Ｒで測定し、赤色光センサー１１７Ｒのセンサー値と、光源の駆動に使用した駆動電流の値又はＰＷＭ信号のデューティーとの関係を特定する処理である。
光源の出力光量が、経時劣化や使用環境によって変化すると、光源の出力光量と、光源の駆動電流との関係、又は光源の出力光量と、ＰＷＭ信号のデューティー比との関係にずれが生じる。このため、光源校正処理を実行して、駆動電流又はＰＷＭ信号のデューティー比と、光源の出力光量との関係を正確に特定し、所望の出力光量が得られるようにする。
光源の出力光量を測定する検出部として赤色光センサー１１７Ｒのセンサー値を使用するのは、色分離部１１２に入力される色光のうち、Ｒ光が最も光源の輝度を反映した色光であるためである。また、光源部１１１から射出されるＢ光と、Ｂ光を蛍光体ホイールによって変換して生成した蛍光光との光量は比例関係にある。このため、赤色光センサー１１７Ｒを用いてＲ光の出力光量を測定すれば、Ｂ光及びＧ光の光量も赤色光センサー１１７Ｒのセンサー値に比例する値となる。
【００５２】
光源の出力光量は、駆動電流又はＰＷＭ信号のデューティー比を制御することで変更される。ここで、光源の出力光量を、駆動電流の電流値と、ＰＷＭ信号のデューティー比とに基づいて制御する理由について説明する。
図４の上側には、駆動電流と、光源の出力光量との関係を示す駆動電流−光量特性テーブルを示し、下側には、ＰＷＭ信号のデューティー比と光源の出力光量との関係を示すデューティー比−光量特性テーブルを示す。
光源は、所定の光量（図４に示すＬｓｍ）以下ではＰＷＭ信号のデューティー比を変更することで、出力光量が制御され、光量Ｌｓｍよりも上の光量では、駆動電流を変更することで、出力光量が制御される。光量Ｌｓｍ以下では、駆動電流による制御よりもＰＷＭ信号のデューティー比による制御のほうが高い精度で光源の出力光量を制御することができる。このため、光量Ｌｓｍ以下ではＰＷＭ信号のデューティー比によって光源の出力光量を制御する。
【００５３】
駆動電流−光量特性テーブルに示す光量は、駆動定電流駆動可能範囲のうち使用範囲の最大電流として設定した電流Ｉｍａｘにおける光量Ｌｍａｘに対する相対的な光量［％］で示している。なお、電流Ｉｓｍは、レーザーダイオードの発光閾値電流が経時劣化や使用環境に応じて変化したとしても、発光可能な下限の電流として設定した電流値である。また、駆動電流は、電流駆動可能範囲のうち使用範囲の最大電流として設定した電流Ｉｍａｘの３５％〜６５％の範囲内とすることがより好ましい。このようにすれば、固体光源としてレーザーダイオードを用いた場合、レーザーダイオードの寿命の末期に至るまで幅広い調光範囲を保つことが可能である。
【００５４】
駆動電流−光量特性テーブルにおいて、光量Ｌｓｍ以上の領域では、光量が高くなるのに応じて駆動電流が大きくなり、光量Ｌｓｍよりも低い光量の領域では光量に関係なく同じ電流値（電流Ｉｓｍ）となっている。この駆動電流−光量特性テーブルによれば、光量Ｌｓｍ以上の光量の領域では、例えば、光量Ｌａに対応する駆動電流として、光量の変化に応じて変化する駆動電流Ｉａを導出することができる。また、光量Ｌｓｍよりも光量が低い領域では、光量Ｌｓｍに対応する電流Ｉｓｍと同じ電流を導出することができる。なお、図４において、光量Ｌａは、最大光量１００％と、光量Ｌｓｍとの中間の光量である場合を示しているとする。
【００５５】
図４の下側に示すデューティー比−光量特性テーブルは、光量Ｌｓｍ以上の領域では、駆動電流−光量特性テーブルに従って光源を駆動電流で駆動可能であるため、ＰＷＭ信号のデューティーは１００％となっている。
これに対して、光量Ｌｓｍよりも光量が低い領域では、光量０％からＬｓｍ［％］までの変化に応じてＰＷＭ信号のデューティーが０から１００％に変化するようになっている。このデューティー比−光量特性テーブルによれば、光量Ｌｓｍ以上の領域では、光量の大きさに関係なく、光量Ｌｓｍに対応するデューティーＤｓｍ（１００％）と同じデューティーを導出することができる。また、光量Ｌｓｍよりも光量が低い領域では、例えば、明るさＬｂに対応するデューティーとして、デューティーＤｂを導出することができる。
【００５６】
光源校正処理部３１０は、光源校正処理を行って、駆動電流と光源の出力光量の関係、及びＰＷＭ信号のデューティー比と光源の出力光量との関係を特定する情報を取得する。
光源校正処理部３１０は、光源の累積点灯時間や、プロジェクター１００を起動させてからの動作時間が、所定の条件を満たした場合に光源校正処理を開始する。この所定の条件は、光源の種類や光源校正処理の実行に必要な暖機条件等によって変更可能である。光源の累積点灯時間や、プロジェクター１００を起動させてからの動作時間が、予め設定された条件に相当する。
本実施形態では、光源の累積点灯時間が所定時間（例えば、１００時間）を経過した場合に、プロジェクター１００の電源をオフにする終了シーケンスにおいて光源校正処理を実行する。また、ユーザーが操作パネル１４１やリモコン５を操作して、光源校正処理を実行させることもできる。なお、終了シーケンスとは、電源オフを指示する操作が行われたときに、プロジェクター１００の電源をオフにするために実行される一連の動作であり、複数の処理を含んでもよい。
また、光源校正処理部３１０は、画像供給装置２００から供給される画像データのスクリーンＳＣへの投射を開始する前に、光源校正処理により取得した情報を用いて、駆動電流−光量特性テーブル、及びデューティー比−光量特性テーブルを生成する。
【００５７】
図５は、光源校正処理部３１０の動作を示すフローチャートである。
この処理フローでは、光源校正処理部３１０は、例えば、光源の累積点灯時間が所定時間（例えば、１００時間）を経過した場合に、プロジェクター１００の電源をオフにする終了シーケンスにおいて光源校正処理を開始するとする。
【００５８】
光源校正処理部３１０は、光源の累積点灯時間が所定時間を経過したか否かを判定する。光源校正処理部３１０は、光源の累積点灯時間が所定時間を経過していないと判定した場合，光源校正処理を開始しない（ステップＳ１／ＮＯ）。また、光源校正処理部３１０は、光源の累積点灯時間が所定時間を経過したと判定した場合、光源校正処理を開始する（ステップＳ１／ＹＥＳ）。
【００５９】
光源校正処理部３１０は、まず、投射制御部１７１に、黒画像の投射を指示する。投射制御部１７１は、記憶部１６０に記憶された黒画像データを読み出し、表示部１１０を制御してスクリーンＳＣに黒画像データに基づく黒画像を表示させる。これは、光源校正処理を実行することによりスクリーンＳＣに投射される光の輝度が変化するため、輝度の変化をユーザーに視認させないようにするために行われる。
【００６０】
次に、光源校正処理部３１０は、スクリーンＳＣに黒画像を表示させた状態で、光源部１１１に供給する駆動電流の電流値として最大値を指定し、ＰＷＭ信号のデューティー比としてデューティー比１００％を指定する情報を生成して設定部３３０に出力する（ステップＳ２）。
設定部３３０は、光源校正処理部３１０から指定されたデューティー比のＰＷＭ信号の生成をＰＷＭ信号生成部１２２に指示する。また、設定部３３０は、光源校正処理部３１０から指定された電流値の駆動電流を光源部１１１に供給するように、光源駆動部１２１に指示する。これにより、光源部１１１には、電流値が最大の駆動電流（図４に示すＩｍａｘ）が供給され、デューティー比が１００％の駆動信号が入力され、光源の出力光量が最大になる。光源の出力光量が最大になると、光源校正処理部３１０は、赤色光センサー１１７Ｒにより測定されるセンサー値を取得する（ステップＳ３）。光源校正処理部３１０は、取得したセンサー値を不図示のメモリー又は記憶部１６０に記憶させる。
【００６１】
次に、光源校正処理部３１０は、光源部１１１に供給する駆動電流の電流値として中間値を指定し、ＰＷＭ信号のデューティー比としてデューティー比１００％を指定する情報を生成して設定部３３０に出力する（ステップＳ４）。中間値には、例えば、予め設定された駆動電流の最大値と最小値との中間の値（図４に示すＩａ）を用いることができる。
光源部１１１が、電流値が中間値の駆動電流、デューティー比が１００％の駆動信号により駆動されると、光源校正処理部３１０は、赤色光センサー１１７Ｒにより測定されるセンサー値を取得する（ステップＳ５）。光源校正処理部３１０は、取得したセンサー値を不図示のメモリー又は記憶部１６０に記憶させる。
【００６２】
次に、光源校正処理部３１０は、光源部１１１に供給する駆動電流の電流値として最小値を指定し、ＰＷＭ信号のデューティー比としてデューティー比１００％を指定する情報を生成して設定部３３０に出力する（ステップＳ６）。
光源部１１１が、電流値が最小値の駆動電流（図４に示すＩｓｍ）、デューティー比が１００％の駆動信号により駆動されると、光源校正処理部３１０は、赤色光センサー１１７Ｒにより測定されるセンサー値を取得する（ステップＳ７）。光源校正処理部３１０は、取得したセンサー値を不図示のメモリー又は記憶部１６０に記憶させる。
【００６３】
次に、光源校正処理部３１０は、光源部１１１に供給する駆動電流の電流値として最小値を指定し、ＰＷＭ信号のデューティー比として、予め設定されたデューティー比を指定して、設定部３３０に出力する（ステップＳ８）。
光源部１１１が、電流値が最小値の駆動電流（図４に示すＩｓｍ）、デューティー比が予め設定されたデューティー比の駆動信号により駆動されると、光源校正処理部３１０は、赤色光センサー１１７Ｒにより測定されるセンサー値を取得する（ステップＳ９）。光源校正処理部３１０は、取得したセンサー値を不図示のメモリー又は記憶部１６０に記憶させる。
【００６４】
次に、光源校正処理部３１０は、予め設定されたすべてのデューティー比を指定して光源部１１１を駆動し、赤色光センサー１１７Ｒが測定するセンサー値を取得したか否かを判定する（ステップＳ１０）。
ステップＳ１０の判定が否定判定の場合、光源校正処理部３１０は、ステップＳ８の処理に移行し、ＰＷＭ信号のデューティー比として、予め設定されたデューティー比であって未設定のデューティー比を指定して光源部１１１を駆動し、赤色光センサー１１７Ｒにより測定されるセンサー値を取得する（ステップＳ９）。
なお、上述のステップＳ２、Ｓ４、Ｓ６、Ｓ８の各ステップで設定した駆動電流及びＰＷＭ信号のデューティー比が、本発明の「複数の駆動条件」に相当する。
【００６５】
また、ステップＳ１０の判定が肯定判定の場合、光源校正処理部３１０は、誤差判定処理を実行する（ステップＳ１１）。光源校正処理部３１０は、ステップＳ３、Ｓ５、Ｓ７、Ｓ９において測定されたセンサー値と、前回の光源校正処理で測定されたセンサー値と比較する。例えば、記憶部１６０には、前回の光源校処理により測定されたセンサー値が記憶されている。
光源校正処理部３１０は、今回の光源校正処理で測定されたセンサー値と、前回の光源校正処理で測定されたセンサー値とを比較して、センサー値の変化率を算出する。光源校正処理部３１０は、算出した変化率が事前に設定された所定範囲内にある場合、今回の光源校正処理で測定されたセンサー値は、計測誤差の範囲内の値であると判定する。この場合、光源校正処理部３１０は、今回の光源校正処理で測定されたセンサー値を破棄し、前回の光源校正処理で測定されたセンサー値を使用して、駆動電流−光量特性テーブル、及びデューティー比−光量特性テーブルを更新する。又は、光源校正処理部３１０は、駆動電流−光量特性テーブル、及びデューティー比−光量特性テーブルの更新は行わない。
【００６６】
光源校正処理部３１０は、図５に示す光源校正処理が終了すると、記憶部１６０又は不図示のメモリーに記憶させたセンサー値に基づいて、図４の上側に示す駆動電流−光量特性テーブル、及び図４の下側に示すデューティー比−光量特性テーブルを更新する。光源校正処理部３１０は、駆動電流を変更しながら測定された赤色光センサー１１７Ｒのセンサー値のそれぞれに基づいて、光源の出力光量を求める。図６は、駆動電流−光量特性テーブルに、駆動電流が最大値（Ｉｍａｘ）の場合の光量（Ｓｍａｘ）、中間値（Ｉａ）の場合の光量（Ｓｍｉｎ）、最小値（Ｉｍｉｎ）の場合の光量（Ｓｍｉｎ）をプロットした状態を示す。
【００６７】
光源校正処理部３１０は、駆動電流−光量特性テーブルに、求めた光源の光量と駆動電流とに対応する点をプロットし、さらに、プロットした点同士を直線でつなぎ、駆動電流−光量特性テーブルを生成する。光源校正処理部３１０についても同様の手順により、デューティー比−光量特性テーブルを生成する。
光源校正処理部３１０は、生成した駆動電流−光量特性テーブルを設定部３３０に出力して、電流設定ＬＵＴ３３２を更新する。また、光源校正処理部３１０は、生成したデューティー比−光量特性テーブルを設定部３３０に出力して、ＰＷＭ設定ＬＵＴ３３１を更新する。
【００６８】
図３に戻り、光源制御部１７２の構成について引き続き説明する。
光源駆動パラメーター生成部３２０には、第３輝度設定部３０３から、光源の出力光量を一定光量に維持するように指示する指示情報と、維持させる一定光量を指定する指定情報とが入力される。
光源駆動パラメーター生成部３２０は、指示情報と、一定光量の指定情報とが入力されると、光源の出力光量を、指定情報により指定された一定光量に制御するための駆動パラメーターを生成する。光源駆動パラメーター生成部３２０は、光源の出力光量が、経時劣化や使用環境によって変化していても、光源の出力光量を、ユーザーにより指定された指定光量に制御するための駆動パラメーターを生成する。
光源駆動パラメーター生成部３２０は、光源を予め設定された駆動条件で駆動させた場合に赤色光センサー１１７Ｒから出力されるセンサー値と、記憶部１６０に記憶されたセンサー値とに基づいて、駆動パラメーターを生成する。記憶部１６０に記憶されたセンサー値が、本発明の光量情報に相当する。
本実施形態では、予め設定された駆動条件として、光源の出力光量を最大値とする駆動条件、すなわち、駆動電流の電流値を最大値、ＰＷＭ信号のデューティー比を１００％に設定した場合を選択する。また、駆動パラメーターの生成に用いられる、記憶部１６０に記憶されたセンサー値として、図５に示す光源校正処理のステップＳ３で測定された、駆動電流の電流値を最大値、ＰＷＭ信号のデューティー比を１００％に設定した場合の赤色光センサー１１７Ｒのセンサー値を用いる。本実施形態では、予め設定された駆動条件として、光源の出力光量を最大値とする駆動条件を選択したが、この他の駆動条件により光源を駆動して、駆動パラメーターを生成してもよい。
【００６９】
図７は、光源制御部１７２の動作を示すフローチャートである。
光源制御部１７２は、まず、操作パネル１４１又はリモコン５が操作され、光量一定制御の開始を指示する操作を受け付けたか否かを判定する。光量一定制御とは、光源の出力光量を、ユーザーにより指定された一定光量に制御する動作である。
光源制御部１７２は、光量一定制御の開始を指示する操作を受け付けていない場合（ステップＳ２１／ＮＯ）、この処理フローを開始しない。また、光量一定制御の開始を指示する操作を受け付けた場合（ステップＳ２１／ＹＥＳ）、光源制御部１７２は、操作パネル１４１又はリモコン５により受け付けた一定光量を指定する指定情報を入力する（ステップＳ２２）。本実施形態では、指定情報として、光源に設定する出力光量を、最大光量に対する割合で示した情報を用いるが、指定情報は、この情報に限らず、例えば、光源の明るさを数値等で指定する情報であってもよい。
光源の出力光量を一定光量に維持するように指示する指示情報と、一定光量を指定する指定情報とが光源制御部１７２の第３輝度設定部３０３に入力される。第３輝度設定部３０３は、入力された指示情報と指定情報とを光源駆動パラメーター生成部３２０に出力する。
【００７０】
光源駆動パラメーター生成部３２０は、第３輝度設定部３０３から指示情報と指定情報とが入力されると、まず、記憶部１６０から基準光センサー値を取得する（ステップＳ２３）。基準光センサー値は、図５に示す光源校正処理により測定された赤色光センサー１１７Ｒのセンサー値である。また、基準光センサー値は、駆動電流を最大値、ＰＷＭ信号のデューティー比を１００％に設定して光源部１１１を駆動した場合に、赤色光センサー１１７Ｒで測定されたセンサー値である。
【００７１】
次に、光源駆動パラメーター生成部３２０は、設定部３３０に、駆動電流の電流値を最大値、ＰＷＭ信号のデューティー比を１００％とするように指示する。設定部３３０は、光源駆動パラメーター生成部３２０から指定されたデューティー比のＰＷＭ信号の生成をＰＷＭ信号生成部１２２に指示する。また、設定部３３０は、光源校正処理部３１０から指定された電流値の駆動電流を光源部１１１に供給するように、光源駆動部１２１に指示する。
これにより、光源部１１１には、電流値が最大の駆動電流が供給され、デューティー比が１００％の駆動信号が入力され、光源の出力光量が最大になる。光源の出力光量が最大になると、光源駆動パラメーター生成部３２０は、赤色光センサー１１７Ｒにより測定されるセンサー値を取得する。光源駆動パラメーター生成部３２０が取得したセンサー値を、以下では測定値という。
【００７２】
次に、光源駆動パラメーター生成部３２０は、設定部３３０に設定する設定値を演算する（ステップＳ２４）。この設定値は、光源の出力光量を、ユーザーにより指定された一定光量とするための設定値である。この設定値を、以下では一定光量出力という。一定光量出力は、以下に示す式により算出される。
一定光量出力＝ユーザーが指定した一定光量×（基準光センサー値／測定値）
【００７３】
例えば、ユーザーが指定された一定光量が７０％であり、記憶部１６０から取得した基準光センサーのセンサー値が７００であるとする。また、赤色光センサー１１７Ｒにより測定された測定値も７００であったとする。
この場合、一定光量出力は、７０％×（７００／７００）により７０％となる。光源の劣化が進んでおらず、測定値が、光源校正処理により取得した基準光センサー値と同一である場合、ユーザーが指定した一定光量がそのまま一定光量出力となる。
【００７４】
また、ユーザーが指定された一定光量が７０％、記憶部１６０から取得した基準光センサー値が７００、測定値が６１２であるとする。
この場合、一定光量出力は、７０％×（７００／６１２）により８０％となる。
【００７５】
光源駆動パラメーター生成部３２０は、生成した一定光量出力を、駆動パラメーターとして第３輝度設定部３０３に出力する（ステップＳ２５）。第３輝度設定部３０３は、光源駆動パラメーター生成部３２０から入力される駆動パラメーターを、第３駆動パラメーターとして切替部３０４に出力する。例えば、ユーザーにより一定光量として７０％が指定された場合、第３輝度設定部３０３は、光源駆動パラメーター生成部３２０により生成された一定光量出力である８０％を、第３駆動パラメーターとして切替部３０４に出力する。光源の光量劣化に伴い、赤色光センサー１１７Ｒにより測定される測定値も小さくなるため、一定光量出力としては大きな値に変更される。
【００７６】
この後、積算部３０５により第１駆動パラメーターが示す値と、第３輝度情報が示す値とが積算され、設定部３３０が積算部３０５の積算結果に基づいて駆動電流の電流値と、ＰＷＭ信号のデューティー比とを取得する。設定部３３０は、取得したデューティー比のＰＷＭ信号の生成をＰＷＭ信号生成部１２２に指示する。また、設定部３３０は、取得した電流値の駆動電流を光源部１１１に供給するように、光源駆動部１２１に指示する。
これにより、光源部１１１に、設定部３３０が取得した電流値の駆動電流が供給され、設定部３３０が取得したデューティー比の駆動信号が入力され、光源が所定の光量で点灯する。
【００７７】
次に、光源駆動パラメーター生成部３２０は、光源校正処理部３１０により光源校正処理が実施され、測定値が更新されたか否かを判定する（ステップＳ２６）。ステップＳ２６の判定が肯定判定の場合（ステップＳ２６／ＹＥＳ）、光源駆動パラメーター生成部３２０は、ステップＳ２４の処理に移行して更新された測定値を再取得し、ステップＳ２４〜Ｓ２６の処理を繰り返す。また、ステップＳ２６の判定が否定判定の場合（ステップＳ２６／ＮＯ）、光源駆動パラメーター生成部３２０は、光量一定制御を終了させるか否かを判定する（ステップＳ２７）。ステップＳ２７の判定が否定判定の場合、光源駆動パラメーター生成部３２０は、ステップＳ２５の処理に戻り、一定光量出力を出力する（ステップＳ２５）。また、ステップＳ２７の判定が肯定判定の場合、光源駆動パラメーター生成部３２０は、この処理フローを終了させる。
【００７８】
以上説明したように本発明のプロジェクター及びプロジェクターの制御方法を適用した実施形態は、光源部１１１を、予め設定された駆動条件で駆動させた場合に赤色光センサー１１７Ｒにより測定されるセンサー値と、記憶部１６０に記憶された光量情報とに基づいて、光源の射出光の光量を設定された光量とするための駆動パラメーターを生成する。
従って、プロジェクター１００が備える赤色光センサー１１７Ｒを利用して、光源部１１１の出力光量を、設定された光量に容易に合わせることができる。このため、例えば、光源部１１１の射出光の光量が経年劣化した場合に、光源の劣化に対応した駆動パラメーターを生成することができる。
【００７９】
また、光源制御部１７２は、予め設定された条件が成立した場合に、光源部１１１を予め設定された駆動条件で駆動させ、赤色光センサー１１７Ｒで測定されるすセンサー値により記憶部１６０が記憶する光量情報を更新する。
従って、予め設定された条件が成立した場合に、記憶部１６０が記憶する光量情報を更新することができる。
【００８０】
また、光源制御部１７２は、予め設定された条件が成立し、記憶部１６０が記憶する光量情報が更新された場合に、光源部１１１を予め設定された駆動条件で駆動させ、赤色光センサー１１７Ｒで測定されるセンサー値と、記憶部１６０に記憶された光量情報とに基づいて、駆動パラメーターを再度生成する。
従って、記憶部１６０が記憶する光量情報が更新された場合に、更新された光量情報に基づいて、駆動パラメーターを再度生成することができる。
【００８１】
また、プロジェクター１００は、光源部１１１から射出される射出光を、複数の色光に分離する色分離部１１２を備える。
赤色光センサー１１７Ｒは、複数の色光のうち、赤色光の光量を検出する。
光源制御部１７２は、赤色光センサー１１７Ｒにより測定されたＲ光のセンサー値と、記憶部１６０に記憶されたＲ光の光量情報とに基づいて、駆動パラメーターを生成する。
従って、色分離部１１２により分離された複数の色光のうち、赤色光の光量に基づいて駆動パラメーターを生成することができる。Ｒ光は、複数の色光のうち、光源の輝度を最も反映した色光であるため、光源部１１１の光源の輝度を反映した駆動パラメーターを生成することができる。
【００８２】
また、光源制御部１７２は、予め設定された条件が成立した場合に、光源部１１１を複数の駆動条件で駆動させ、各駆動条件で光源を駆動させた場合に赤色光センサー１１７Ｒで測定されるセンサー値に基づいて、光源駆動部１２１を駆動させる駆動パラメーターを、複数の駆動条件ごとに算出する。
従って、光源部１１１の射出光の光量が経年劣化した場合に、光源の劣化に対応した駆動パラメーターを、駆動条件ごとに生成することができる。
【００８３】
光源制御部１７２は、複数の駆動条件として、光源部１１１を駆動する駆動電流と、光源部１１１の点灯及び消灯を切り替えるＰＷＭ信号のデューティーとのいずれか一方を変更し、光源駆動部１２１を駆動させる駆動パラメーターを、複数の駆動条件ごとに算出する。
従って、駆動電流と、ＰＷＭ信号のデューティーとのいずれか一方を変更して、光源部１１１の光量を変更し、複数の駆動条件で駆動パラメーターを生成することができる。
【００８４】
また、プロジェクター１００は、画像データを入力する画像入力Ｉ／Ｆ部１５１を備える。光源制御部１７２は、光源部１１１の射出光の光量を設定された光量とするための光源駆動部１２１の駆動パラメーターと、画像入力Ｉ／Ｆ部１５１に入力された画像データの輝度に基づいて算出される駆動パラメーターとに基づいて、光源部１１１の光量を制御する。
従って、光源部１１１の光量を、画像データの輝度と、光源部１１１の射出光の光量を設定された光量とするための光源駆動部１２１の駆動パラメーターとに基づいて制御することができる。
【００８５】
また、光源制御部１７２は、プロジェクター１００の電源をオフする際に実行される電源オフシーケンスにおいて、光源駆動部１２１の駆動パラメーターを生成する。
従って、駆動パラメーターを生成する際のプロジェクター１００の他の動作への影響を低減することができる。
【００８６】
また、プロジェクター１００は、操作を受け付ける操作パネル１４１又はリモコン５を備える。光源制御部１７２は、操作パネル１４１又はリモコン５により受け付けた入力によって指定されるタイミングで、光源駆動部１２１の駆動パラメーターを生成する。
従って、ユーザーは、操作パネル１４１又はリモコン５を操作して、駆動パラメーターを生成することができる。
【００８７】
上述した実施形態は、本発明の好適な実施の形態である。ただし、本発明は上述の実施形態に限定されるものではなく、本発明の要旨を逸脱しない範囲内において種々の変形実施が可能である。
例えば、上述した実施形態では、赤色光センサー１１７Ｒのセンサー値に基づいて駆動パラメーターを生成する例を説明したが、赤色光センサー１１７Ｒ及び青色光センサー１１７Ｂのセンサー値を使用して、駆動パラメーターを生成してもよい。例えば、固体光源として赤色、緑色及び青色の３つの固体光源を備える場合には、赤色光センサー１１７Ｒ及び青色光センサー１１７Ｂのセンサー値を使用して、駆動パラメーターを生成してもよい。
【００８８】
また、上述した実施形態では、光源が発した光を変調する光変調装置１１３として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【００８９】
また、上述した実施形態では、プロジェクター１００として、スクリーンＳＣの前方から投射するフロントプロジェクション型のプロジェクター１００を示したが、本発明はこれに限定されない。
また、図１に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【符号の説明】
【００９０】
５…リモコン（受付部）、１００…プロジェクター、１１１…光源部(光源)、１１２…色分離部（分離光学系）、１１３…光変調装置、１１４…投射光学系、１１５Ｒ，１１５Ｂ，１１５Ｂ…液晶パネル、１１６Ｒ，１１６Ｇ，１１６Ｂ…集光レンズ、１１７…光センサー（検出部）、１１７Ｂ…青色光センサー、１１７Ｒ…赤色光センサー、１１８…クロスダイクロイックプリズム、１２１…光源駆動部、１２２…ＰＷＭ信号生成部、１２３…光変調装置駆動部、１３１，１３２…ダイクロイックミラー、１３３，１３４，１３５…反射ミラー、１３６，１３７…リレーレンズ、１４１…操作パネル（受付部）、１４２…リモコン受光部（受付部）、１４３…入力処理部、１４５…無線通信部、１５１…画像入力Ｉ／Ｆ部（入力部）、１５３…画像処理部、１５５…フレームメモリー、１６０…記憶部、１７０…制御部、１７１…投射制御部、１７２…光源制御部、１８０…内部バス、２００…画像供給装置、３０１…第１輝度設定部、３０２…、第２輝度設定部、３０３…第３輝度設定部、３０４…切替部、３０５…積算部、３１０…光源校正処理部、３２０…光源駆動パラメーター生成部、３３０…設定部、３３１…ＰＷＭ設定部、３３２…電流設定ＬＵＴ、ＳＣ…スクリーン。
【図１】
0006651865.tif 000002
【図２】
0006651865.tif 000003
【図３】
0006651865.tif 000004
【図４】
0006651865.tif 000005
【図５】
0006651865.tif 000006
【図６】
0006651865.tif 000007
【図７】
0006651865.tif 000008